(57)【要約】【課題】端末装置が他の端末装置から受信した試験データが表す音声及び／又は映像の品質を高い精度にて推定することが可能な試験システムを提供すること。【解決手段】試験システム１００は、通信回線を介して接続された、サーバ装置１１０、送信側端末装置１２０、及び、受信側端末装置１３０を含む。サーバ装置は、音声及び／又は映像を表す試験データを送信側端末装置へ送信する（１１２）。送信側端末装置は、試験データを受信し（１２１）、受信した試験データを受信側端末装置へ送信する（１２２）。受信側端末装置は、試験データを受信し（１３１）、受信した試験データをサーバ装置へ送信する（１３２）。サーバ装置は、試験データを受信する（１１３）。サーバ装置は、受信された試験データと、記憶されている試験データと、に基づいて、受信側端末装置が受信した試験データが表す音声及び／又は映像の品質を推定する。【選択図】図５
2010278496.tif 000002
【特許請求の範囲】
【請求項１】
通信回線を介して接続された、サーバ装置、送信側端末装置、及び、受信側端末装置を含む試験システムであって、
前記サーバ装置は、
音声及び／又は映像を表す試験データを記憶する試験データ記憶手段と、
前記記憶されている試験データを前記送信側端末装置へ送信する試験前データ送信手段と、
を備え、
前記送信側端末装置は、
前記サーバ装置から前記試験データを受信する試験前データ受信手段と、
前記受信された試験データを、前記受信側端末装置へ送信する試験用データ送信手段と、
を備え、
前記受信側端末装置は、
前記送信側端末装置から前記試験データを受信する試験用データ受信手段と、
前記受信された試験データを前記サーバ装置へ送信する試験後データ送信手段と、
を備え、
前記サーバ装置は、更に、
前記受信側端末装置により送信された試験データを受信する試験後データ受信手段と、
前記受信された試験データと、前記記憶されている試験データと、に基づいて、前記受信側端末装置が前記送信側端末装置から受信した試験データが表す音声及び／又は映像の品質を推定する品質推定手段と、
を備える試験システム。
【請求項２】
請求項１に記載の試験システムであって、
前記サーバ装置と前記送信側端末装置及び前記受信側端末装置のそれぞれとの間の通信帯域を、予め設定された上限帯域以下に制御する通信帯域制限手段を備える試験システム。
【請求項３】
請求項１又は請求項２に記載の試験システムであって、
前記サーバ装置との間で通信セッションが確立されている、前記送信側端末装置及び前記受信側端末装置の数である接続数を、予め設定された上限数以下に制御する接続数制限手段を備える試験システム。
【請求項４】
請求項１乃至請求項３のいずれか一項に記載の試験システムであって、
前記サーバ装置は、
所定の実行指示の送信先となる送信側端末装置を特定するための送信側端末装置特定情報と、当該実行指示を送信する順序を表す順序情報と、を対応付けたシナリオ情報を記憶するシナリオ情報記憶手段と、
前記記憶されているシナリオ情報に含まれる順序情報が表す順序に従って、当該シナリオ情報に含まれる送信側端末装置特定情報により特定される送信側端末装置へ、前記実行指示を送信する実行指示送信手段と、
を備え、
前記試験用データ送信手段は、前記送信側端末装置が前記サーバ装置から前記実行指示を受信した時、当該送信側端末装置が前記試験データを前記受信側端末装置へ送信するように構成された試験システム。
【請求項５】
請求項１乃至請求項４のいずれか一項に記載の試験システムであって、
前記送信側端末装置及び前記受信側端末装置は、ＰＥＳＱ（Ｐｅｒｃｅｐｔｕａｌ  Ｅｖａｌｕａｔｉｏｎ  ｏｆ  Ｓｐｅｅｃｈ  Ｑｕａｌｉｔｙ）に基づく試験を行うように構成された試験システム。
【請求項６】
請求項１乃至請求項５のいずれか一項に記載の試験システムであって、
前記試験用データ送信手段は、ＳＩＰ（Ｓｅｓｓｉｏｎ  Ｉｎｉｔｉａｔｉｏｎ  Ｐｒｏｔｏｃｏｌ）に従って、前記送信側端末装置と前記受信側端末装置との間に通信セッションを確立し、当該確立された通信セッションを介して当該受信側端末装置へ前記試験データを送信するように構成された試験システム。
【請求項７】
請求項１乃至請求項６のいずれか一項に記載の試験システムであって、
前記試験用データ送信手段は、ＲＴＰ（Ｒｅａｌ−ｔｉｍｅ  Ｔｒａｎｓｐｏｒｔ  Ｐｒｏｔｏｃｏｌ）に従って前記試験データを前記受信側端末装置へ送信するように構成された試験システム。
【請求項８】
請求項１乃至請求項７のいずれか一項に記載の試験システムであって、
前記試験用データ送信手段は、前記受信された試験データを符号化し、当該符号化された試験データを前記受信側端末装置へ送信するように構成され、
前記試験用データ受信手段は、前記送信側端末装置から前記試験データを受信し、当該受信された試験データを復号化するように構成され、
前記試験後データ送信手段は、前記復号化された試験データを前記サーバ装置へ送信するように構成された試験システム。
【請求項９】
請求項１乃至請求項８のいずれか一項に記載の試験システムであって、
前記品質推定手段は、前記推定された音声及び／又は映像の品質を表す品質情報を出力するように構成された試験システム。
【請求項１０】
通信回線を介して接続された、サーバ装置、送信側端末装置、及び、受信側端末装置を含む試験システムに適用され、
前記サーバ装置が備える記憶装置に記憶されているデータであって音声及び／又は映像を表すデータである試験データを当該サーバ装置が前記送信側端末装置へ送信する試験前データ送信工程と、
前記送信側端末装置が前記サーバ装置から前記試験データを受信する試験前データ受信工程と、
前記送信側端末装置が、前記受信された試験データを前記受信側端末装置へ送信する試験用データ送信工程と、
前記受信側端末装置が、前記送信側端末装置から前記試験データを受信する試験用データ受信工程と、
前記送信側端末装置が、前記受信された試験データを前記サーバ装置へ送信する試験後データ送信工程と、
前記サーバ装置が、前記受信側端末装置により送信された試験データを受信する試験後データ受信工程と、
前記受信された試験データと、前記記憶装置に記憶されている試験データと、に基づいて、前記受信側端末装置が前記送信側端末装置から受信した試験データが表す音声及び／又は映像の品質を前記サーバ装置が推定する品質推定工程と、
を含む試験方法。
【請求項１１】
請求項１０に記載の試験方法であって、
前記サーバ装置と前記送信側端末装置及び前記受信側端末装置のそれぞれとの間の通信帯域を、予め設定された上限帯域以下に制御する通信帯域制限工程を含む試験方法。
【請求項１２】
請求項１０又は請求項１１に記載の試験方法であって、
前記サーバ装置との間で通信セッションが確立されている、前記送信側端末装置及び前記受信側端末装置の数である接続数を、予め設定された上限数以下に制御する接続数制限工程を含む試験方法。
【請求項１３】
請求項１０乃至請求項１２のいずれか一項に記載の試験方法であって、
所定の実行指示の送信先となる送信側端末装置を特定するための送信側端末装置特定情報と、当該実行指示を送信する順序を表す順序情報と、を対応付けた情報であって、前記記憶装置に記憶されている情報であるシナリオ情報に含まれる順序情報が表す順序に従って、当該シナリオ情報に含まれる送信側端末装置特定情報により特定される送信側端末装置へ、前記サーバ装置が前記実行指示を送信する実行指示送信工程を含み、
前記試験用データ送信工程は、前記送信側端末装置が前記サーバ装置から前記実行指示を受信した時、当該送信側端末装置が前記試験データを前記受信側端末装置へ送信するように構成された試験方法。
【請求項１４】
送信側端末装置、及び、受信側端末装置と通信回線を介して接続されたサーバ装置であって、
音声及び／又は映像を表す試験データを記憶する試験データ記憶手段と、
前記記憶されている試験データを前記送信側端末装置へ送信する試験前データ送信手段と、
前記受信側端末装置により送信された試験データを受信する試験後データ受信手段と、
前記受信された試験データと、前記記憶されている試験データと、に基づいて、前記受信側端末装置が前記送信側端末装置から受信した試験データが表す音声及び／又は映像の品質を推定する品質推定手段と、
を備えるサーバ装置。
【請求項１５】
請求項１４に記載のサーバ装置であって、
前記送信側端末装置及び前記受信側端末装置のそれぞれとの間の通信帯域を、予め設定された上限帯域以下に制御する通信帯域制限手段を備えるサーバ装置。
【請求項１６】
請求項１４又は請求項１５に記載のサーバ装置であって、
当該サーバ装置との間で通信セッションが確立されている、前記送信側端末装置及び前記受信側端末装置の数である接続数を、予め設定された上限数以下に制御する接続数制限手段を備えるサーバ装置。
【請求項１７】
請求項１４乃至請求項１６のいずれか一項に記載のサーバ装置であって、
所定の実行指示の送信先となる送信側端末装置を特定するための送信側端末装置特定情報と、当該実行指示を送信する順序を表す順序情報と、を対応付けたシナリオ情報を記憶するシナリオ情報記憶手段と、
前記記憶されているシナリオ情報に含まれる順序情報が表す順序に従って、当該シナリオ情報に含まれる送信側端末装置特定情報により特定される送信側端末装置へ、前記実行指示を送信する実行指示送信手段と、
を備えるサーバ装置。
【請求項１８】
送信側端末装置、及び、受信側端末装置と通信回線を介して接続されたサーバ装置に、
当該サーバ装置が備える記憶装置に記憶されているデータであって音声及び／又は映像を表すデータである試験データを前記送信側端末装置へ送信する試験前データ送信手段と、
前記受信側端末装置により送信された試験データを受信する試験後データ受信手段と、
前記受信された試験データと、前記記憶装置に記憶されている試験データと、に基づいて、前記受信側端末装置が前記送信側端末装置から受信した試験データが表す音声及び／又は映像の品質を推定する品質推定手段と、
を実現させるためのプログラム。
【請求項１９】
請求項１８に記載のプログラムであって、
前記サーバ装置に、更に、
前記送信側端末装置及び前記受信側端末装置のそれぞれとの間の通信帯域を、予め設定された上限帯域以下に制御する通信帯域制限手段を実現させるためのプログラム。
【請求項２０】
請求項１８又は請求項１９に記載のプログラムであって、
前記サーバ装置に、更に、
当該サーバ装置との間で通信セッションが確立されている、前記送信側端末装置及び前記受信側端末装置の数である接続数を、予め設定された上限数以下に制御する接続数制限手段を実現させるためのプログラム。
【請求項２１】
請求項１８乃至請求項２０のいずれか一項に記載のプログラムであって、
前記サーバ装置に、更に、
所定の実行指示の送信先となる送信側端末装置を特定するための送信側端末装置特定情報と、当該実行指示を送信する順序を表す順序情報と、を対応付けた情報であって、前記記憶装置に記憶されている情報であるシナリオ情報に含まれる順序情報が表す順序に従って、当該シナリオ情報に含まれる送信側端末装置特定情報により特定される送信側端末装置へ、当該実行指示を送信する実行指示送信手段を実現させるためのプログラム。
【請求項２２】
サーバ装置、及び、受信側端末装置と通信回線を介して接続された送信側端末装置であって、
前記サーバ装置から、音声及び／又は映像を表す試験データを受信する試験前データ受信手段と、
前記受信された試験データを、前記受信側端末装置へ送信する試験用データ送信手段と、
を備える送信側端末装置。
【請求項２３】
請求項２２に記載の送信側端末装置であって、
前記試験用データ送信手段は、前記サーバ装置から所定の実行指示を受信した時、前記試験データを前記受信側端末装置へ送信するように構成された送信側端末装置。
【請求項２４】
サーバ装置、及び、受信側端末装置と通信回線を介して接続された送信側端末装置に、
前記サーバ装置から、音声及び／又は映像を表す試験データを受信する試験前データ受信手段と、
前記受信された試験データを、前記受信側端末装置へ送信する試験用データ送信手段と、
を実現させるためのプログラム。
【請求項２５】
請求項２４に記載のプログラムであって、
前記試験用データ送信手段は、前記サーバ装置から所定の実行指示を受信した時、前記試験データを前記受信側端末装置へ送信するように構成されたプログラム。
【請求項２６】
サーバ装置、及び、送信側端末装置と通信回線を介して接続された受信側端末装置であって、
前記送信側端末装置から、音声及び／又は映像を表す試験データを受信する試験用データ受信手段と、
前記受信された試験データを前記サーバ装置へ送信する試験後データ送信手段と、
を備える受信側端末装置。
【請求項２７】
サーバ装置、及び、送信側端末装置と通信回線を介して接続された受信側端末装置に、
前記送信側端末装置から、音声及び／又は映像を表す試験データを受信する試験用データ受信手段と、
前記受信された試験データを前記サーバ装置へ送信する試験後データ送信手段と、
を実現させるためのプログラム。
【発明の詳細な説明】
【技術分野】
【０００１】
本発明は、端末装置が他の端末装置から受信した試験データが表す音声及び／又は映像の品質を推定する試験システムに関する。
【背景技術】
【０００２】
ＩＰ（Ｉｎｔｅｒｎｅｔ  Ｐｒｏｔｏｃｏｌ）網を介して接続された、サーバ装置、送信側端末装置、及び、受信側端末装置を含む試験システムが知られている。この種の試験システムの一つとして、特許文献１に記載の試験システムは、サーバ装置が、送信側端末装置、及び、受信側端末装置の間に通信経路を設定する。
【０００３】
そして、送信側端末装置は、音声を表す試験データを所定のデータサイズ毎に分割することにより複数のパケットを生成する。次いで、送信側端末装置は、生成した複数のパケットを、設定された通信経路を経由させて、受信側端末装置へ送信する。
【０００４】
受信側端末装置は、送信側端末装置により送信されたパケットを受信する。このとき、受信側端末装置は、送信側端末装置により送信されたパケットの一部が受信されなかった（消失した）こと（パケットロスの発生）、及び、連続する２つのパケットが受信された間隔が所定の閾値よりも長いこと（パケット遅延の発生）等を検出する。これによれば、送信側端末装置、及び、受信側端末装置の間の通信状態を推定することができる。従って、この試験システムによれば、受信側端末装置が送信側端末装置から受信した試験データが表す音声の品質を推定することができる。
【先行技術文献】
【特許文献】
【０００５】
【特許文献１】特開２００６−２１１３９８号公報
【発明の概要】
【発明が解決しようとする課題】
【０００６】
ところで、送信側端末装置が試験データを送信する場合、送信側端末装置は、試験データを符号化し、符号化された試験データを送信する。従って、受信側端末装置は、試験データを受信すると、受信した試験データを復号化する。このため、パケットが正常に通信されている場合であっても、送信側端末装置が試験データを符号化するとき、及び／又は、受信側端末装置が試験データを復号化するとき等に、試験データの品質が劣化する場合がある。また、受信側端末装置が受信したパケットに基づいて試験データを生成する際に、試験データの品質が劣化する場合もある。
【０００７】
このような場合、上記試験システムは、受信側端末装置が送信側端末装置から受信した試験データが表す音声の品質を高い精度にて推定することができないという問題があった。なお、この問題は、試験データが、映像を表すデータである場合にも同様に生じる。
【０００８】
このため、本発明の目的は、上述した課題である「受信側端末装置が送信側端末装置から受信した試験データが表す音声及び／又は映像の品質を高い精度にて推定することができない場合が生じること」を解決することが可能な試験システムを提供することにある。
【課題を解決するための手段】
【０００９】
かかる目的を達成するため本発明の一形態である試験システムは、通信回線を介して接続された、サーバ装置、送信側端末装置、及び、受信側端末装置を含むシステムである。
【００１０】
更に、上記サーバ装置は、
音声及び／又は映像を表す試験データを記憶する試験データ記憶手段と、
上記記憶されている試験データを上記送信側端末装置へ送信する試験前データ送信手段と、
を備える。
【００１１】
加えて、上記送信側端末装置は、
上記サーバ装置から上記試験データを受信する試験前データ受信手段と、
上記受信された試験データを、上記受信側端末装置へ送信する試験用データ送信手段と、
を備える。
【００１２】
更に、上記受信側端末装置は、
上記送信側端末装置から上記試験データを受信する試験用データ受信手段と、
上記受信された試験データを上記サーバ装置へ送信する試験後データ送信手段と、
を備える。
【００１３】
加えて、上記サーバ装置は、
上記受信側端末装置により送信された試験データを受信する試験後データ受信手段と、
上記受信された試験データと、上記記憶されている試験データと、に基づいて、上記受信側端末装置が上記送信側端末装置から受信した試験データが表す音声及び／又は映像の品質を推定する品質推定手段と、
を備える。
【００１４】
また、本発明の他の形態である試験方法は、通信回線を介して接続された、サーバ装置、送信側端末装置、及び、受信側端末装置を含む試験システムに適用される方法である。
【００１５】
更に、上記試験方法は、
上記サーバ装置が備える記憶装置に記憶されているデータであって音声及び／又は映像を表すデータである試験データを当該サーバ装置が上記送信側端末装置へ送信する試験前データ送信工程と、
上記送信側端末装置が上記サーバ装置から上記試験データを受信する試験前データ受信工程と、
上記送信側端末装置が、上記受信された試験データを上記受信側端末装置へ送信する試験用データ送信工程と、
上記受信側端末装置が、上記送信側端末装置から上記試験データを受信する試験用データ受信工程と、
上記送信側端末装置が、上記受信された試験データを上記サーバ装置へ送信する試験後データ送信工程と、
上記サーバ装置が、上記受信側端末装置により送信された試験データを受信する試験後データ受信工程と、
上記受信された試験データと、上記記憶装置に記憶されている試験データと、に基づいて、上記受信側端末装置が上記送信側端末装置から受信した試験データが表す音声及び／又は映像の品質を上記サーバ装置が推定する品質推定工程と、
を含む。
【００１６】
また、本発明の他の形態であるサーバ装置は、送信側端末装置、及び、受信側端末装置と通信回線を介して接続された装置である。
更に、このサーバ装置は、
音声及び／又は映像を表す試験データを記憶する試験データ記憶手段と、
上記記憶されている試験データを上記送信側端末装置へ送信する試験前データ送信手段と、
上記受信側端末装置により送信された試験データを受信する試験後データ受信手段と、
上記受信された試験データと、上記記憶されている試験データと、に基づいて、上記受信側端末装置が上記送信側端末装置から受信した試験データが表す音声及び／又は映像の品質を推定する品質推定手段と、
を備える。
【００１７】
また、本発明の他の形態であるプログラムは、
送信側端末装置、及び、受信側端末装置と通信回線を介して接続されたサーバ装置に、
当該サーバ装置が備える記憶装置に記憶されているデータであって音声及び／又は映像を表すデータである試験データを上記送信側端末装置へ送信する試験前データ送信手段と、
上記受信側端末装置により送信された試験データを受信する試験後データ受信手段と、
上記受信された試験データと、上記記憶装置に記憶されている試験データと、に基づいて、上記受信側端末装置が上記送信側端末装置から受信した試験データが表す音声及び／又は映像の品質を推定する品質推定手段と、
を実現させるためのプログラムである。
【００１８】
また、本発明の他の形態である送信側端末装置は、サーバ装置、及び、受信側端末装置と通信回線を介して接続された装置である。
更に、この送信側端末装置は、
上記サーバ装置から、音声及び／又は映像を表す試験データを受信する試験前データ受信手段と、
上記受信された試験データを、上記受信側端末装置へ送信する試験用データ送信手段と、
を備える。
【００１９】
また、本発明の他の形態であるプログラムは、
サーバ装置、及び、受信側端末装置と通信回線を介して接続された送信側端末装置に、
上記サーバ装置から、音声及び／又は映像を表す試験データを受信する試験前データ受信手段と、
上記受信された試験データを、上記受信側端末装置へ送信する試験用データ送信手段と、
を実現させるためのプログラムである。
【００２０】
また、本発明の他の形態である受信側端末装置は、サーバ装置、及び、送信側端末装置と通信回線を介して接続された装置である。
更に、この受信側端末装置は、
上記送信側端末装置から、音声及び／又は映像を表す試験データを受信する試験用データ受信手段と、
上記受信された試験データを上記サーバ装置へ送信する試験後データ送信手段と、
を備える。
【００２１】
また、本発明の他の形態であるプログラムは、
サーバ装置、及び、送信側端末装置と通信回線を介して接続された受信側端末装置に、
上記送信側端末装置から、音声及び／又は映像を表す試験データを受信する試験用データ受信手段と、
上記受信された試験データを上記サーバ装置へ送信する試験後データ送信手段と、
を実現させるためのプログラムである。
【発明の効果】
【００２２】
本発明は、以上のように構成されることにより、端末装置が他の端末装置から受信した試験データが表す音声及び／又は映像の品質を高い精度にて推定することができる。
【図面の簡単な説明】
【００２３】
【図１】本発明の実施形態に係る試験システムの概略構成を表す図である。
【図２】本発明の実施形態に係る試験システムの機能の概略を表すブロック図である。
【図３】本発明の実施形態に係るサーバ装置が記憶しているシナリオ情報を示したテーブルである。
【図４】本発明の実施形態に係る試験システムの作動を示したシーケンス図である。
【図５】本発明の実施形態の変形例に係る試験システムの機能の概略を表すブロック図である。
【発明を実施するための形態】
【００２４】
本発明の一形態である試験システムは、通信回線を介して接続された、サーバ装置、送信側端末装置、及び、受信側端末装置を含むシステムである。
更に、上記サーバ装置は、
音声及び／又は映像を表す試験データを記憶する試験データ記憶手段と、
上記記憶されている試験データを上記送信側端末装置へ送信する試験前データ送信手段と、
を備える。
【００２５】
加えて、上記送信側端末装置は、
上記サーバ装置から上記試験データを受信する試験前データ受信手段と、
上記受信された試験データを、上記受信側端末装置へ送信する試験用データ送信手段と、
を備える。
【００２６】
更に、上記受信側端末装置は、
上記送信側端末装置から上記試験データを受信する試験用データ受信手段と、
上記受信された試験データを上記サーバ装置へ送信する試験後データ送信手段と、
を備える。
【００２７】
加えて、上記サーバ装置は、
上記受信側端末装置により送信された試験データを受信する試験後データ受信手段と、
上記受信された試験データと、上記記憶されている試験データと、に基づいて、上記受信側端末装置が上記送信側端末装置から受信した試験データが表す音声及び／又は映像の品質を推定する品質推定手段と、
を備える。
【００２８】
これによれば、サーバ装置は、送信側端末装置が実際に送信した試験データと、受信側端末装置が実際に受信した試験データと、に基づいて、受信側端末装置が、送信側端末装置から受信した試験データが表す音声及び／又は映像の品質を推定する。この結果、サーバ装置は、端末装置が他の端末装置から受信した試験データが表す音声及び／又は映像の品質を高い精度にて推定することができる。
【００２９】
更に、上記試験システムが、送信側端末装置及び受信側端末装置の組を複数含む場合、サーバ装置が、各組に対して、受信側端末装置が送信側端末装置から受信した試験データを受信することができる。この結果、サーバ装置は、各組に対して推定された音声及び／又は映像の品質に基づいた情報（例えば、各組に対する品質を統計した情報、及び、ある組に対する品質と他の組に対する品質又は各組に対する品質を統計した情報とを比較した情報等）を出力することもできる。また、上記試験システムによれば、同一の試験データを、複数の送信側端末装置に送信させることもできる。
【００３０】
この場合、上記試験システムは、
上記サーバ装置と上記送信側端末装置及び上記受信側端末装置のそれぞれとの間の通信帯域（通信速度）を、予め設定された上限帯域以下に制御する通信帯域制限手段を備えることが好適である。
【００３１】
ところで、試験データのデータサイズは比較的大きい。従って、サーバ装置と、送信側端末装置及び受信側端末装置のそれぞれとの間の通信帯域が過大であると、他の通信にて使用可能な通信帯域が過少となる虞がある。そこで、上記のように試験システムを構成することにより、他の通信にて使用可能な通信帯域が過少となることを防止することができる。
【００３２】
この場合、上記試験システムは、
上記サーバ装置との間で通信セッションが確立されている、上記送信側端末装置及び上記受信側端末装置の数である接続数を、予め設定された上限数以下に制御する接続数制限手段を備えることが好適である。
【００３３】
ところで、試験データのデータサイズは比較的大きい。従って、サーバ装置との間で通信セッションが確立されている、送信側端末装置及び受信側端末装置の数である接続数が過大であると、他の通信にて使用可能な通信帯域が過少となる虞がある。そこで、上記のように試験システムを構成することにより、他の通信にて使用可能な通信帯域が過少となることを防止することができる。
【００３４】
この場合、上記サーバ装置は、
所定の実行指示の送信先となる送信側端末装置を特定するための送信側端末装置特定情報と、当該実行指示を送信する順序を表す順序情報と、を対応付けたシナリオ情報を記憶するシナリオ情報記憶手段と、
上記記憶されているシナリオ情報に含まれる順序情報が表す順序に従って、当該シナリオ情報に含まれる送信側端末装置特定情報により特定される送信側端末装置へ、上記実行指示を送信する実行指示送信手段と、
を備え、
上記試験用データ送信手段は、上記送信側端末装置が上記サーバ装置から上記実行指示を受信した時、当該送信側端末装置が上記試験データを上記受信側端末装置へ送信するように構成されることが好適である。
【００３５】
これによれば、上記試験システムは、シナリオ情報に基づいて、送信側端末装置から受信側端末装置へ試験データを送信する処理（試験）を自動的に実行することができる。この結果、試験システムを使用するユーザ（オペレータ）の手間を軽減することができる。また、例えば、送信側端末装置と受信側端末装置とを接続する通信回線の通信量が相対的に少ない期間（例えば、通信回線を用いるサービスの提供が停止する期間）にて、試験を実行することにより、通信負荷の最大値を減少させることもできる。
【００３６】
また、上記試験システムによれば、複数の、送信側端末装置及び受信側端末装置の組のそれぞれに対する試験を同時に実行することもできる。従って、複数の試験を早期に完了することができる。また、上記試験システムによれば、比較的長い距離だけ離間して配置された送信側端末装置及び受信側端末装置に対する試験も容易に実行することができる。
【００３７】
また、上記試験システムによれば、予め設定された試験周期が経過する毎に、試験を行うことができる。従って、上記通信回線にて異常が発生した場合であっても、早期に異常が発生したことを検出することができる。
【００３８】
この場合、上記試験システムは、
上記送信側端末装置及び上記受信側端末装置は、ＰＥＳＱ（Ｐｅｒｃｅｐｔｕａｌ  Ｅｖａｌｕａｔｉｏｎ  ｏｆ  Ｓｐｅｅｃｈ  Ｑｕａｌｉｔｙ）に基づく試験を行うように構成されることが好適である。
【００３９】
この場合、上記試験用データ送信手段は、ＳＩＰ（Ｓｅｓｓｉｏｎ  Ｉｎｉｔｉａｔｉｏｎ  Ｐｒｏｔｏｃｏｌ）に従って、上記送信側端末装置と上記受信側端末装置との間に通信セッションを確立し、当該確立された通信セッションを介して当該受信側端末装置へ上記試験データを送信するように構成されることが好適である。
【００４０】
この場合、上記試験用データ送信手段は、ＲＴＰ（Ｒｅａｌ−ｔｉｍｅ  Ｔｒａｎｓｐｏｒｔ  Ｐｒｏｔｏｃｏｌ）に従って上記試験データを上記受信側端末装置へ送信するように構成されることが好適である。
【００４１】
この場合、上記試験用データ送信手段は、上記受信された試験データを符号化し、当該符号化された試験データを上記受信側端末装置へ送信するように構成され、
上記試験用データ受信手段は、上記送信側端末装置から上記試験データを受信し、当該受信された試験データを復号化するように構成され、
上記試験後データ送信手段は、上記復号化された試験データを上記サーバ装置へ送信するように構成されることが好適である。
【００４２】
この場合、上記品質推定手段は、上記推定された音声及び／又は映像の品質を表す品質情報を出力するように構成されることが好適である。
【００４３】
また、本発明の他の形態である試験方法は、通信回線を介して接続された、サーバ装置、送信側端末装置、及び、受信側端末装置を含む試験システムに適用される方法である。
更に、上記試験方法は、
上記サーバ装置が備える記憶装置に記憶されているデータであって音声及び／又は映像を表すデータである試験データを当該サーバ装置が上記送信側端末装置へ送信する試験前データ送信工程と、
上記送信側端末装置が上記サーバ装置から上記試験データを受信する試験前データ受信工程と、
上記送信側端末装置が、上記受信された試験データを上記受信側端末装置へ送信する試験用データ送信工程と、
上記受信側端末装置が、上記送信側端末装置から上記試験データを受信する試験用データ受信工程と、
上記送信側端末装置が、上記受信された試験データを上記サーバ装置へ送信する試験後データ送信工程と、
上記サーバ装置が、上記受信側端末装置により送信された試験データを受信する試験後データ受信工程と、
上記受信された試験データと、上記記憶装置に記憶されている試験データと、に基づいて、上記受信側端末装置が上記送信側端末装置から受信した試験データが表す音声及び／又は映像の品質を上記サーバ装置が推定する品質推定工程と、
を含む。
【００４４】
この場合、上記試験方法は、
上記サーバ装置と上記送信側端末装置及び上記受信側端末装置のそれぞれとの間の通信帯域を、予め設定された上限帯域以下に制御する通信帯域制限工程を含むことが好適である。
【００４５】
この場合、上記試験方法は、
上記サーバ装置との間で通信セッションが確立されている、上記送信側端末装置及び上記受信側端末装置の数である接続数を、予め設定された上限数以下に制御する接続数制限工程を含むことが好適である。
【００４６】
この場合、上記試験方法は、
所定の実行指示の送信先となる送信側端末装置を特定するための送信側端末装置特定情報と、当該実行指示を送信する順序を表す順序情報と、を対応付けた情報であって、上記記憶装置に記憶されている情報であるシナリオ情報に含まれる順序情報が表す順序に従って、当該シナリオ情報に含まれる送信側端末装置特定情報により特定される送信側端末装置へ、上記サーバ装置が上記実行指示を送信する実行指示送信工程を含み、
上記試験用データ送信工程は、上記送信側端末装置が上記サーバ装置から上記実行指示を受信した時、当該送信側端末装置が上記試験データを上記受信側端末装置へ送信するように構成されることが好適である。
【００４７】
また、本発明の他の形態であるサーバ装置は、送信側端末装置、及び、受信側端末装置と通信回線を介して接続された装置である。
更に、このサーバ装置は、
音声及び／又は映像を表す試験データを記憶する試験データ記憶手段と、
上記記憶されている試験データを上記送信側端末装置へ送信する試験前データ送信手段と、
上記受信側端末装置により送信された試験データを受信する試験後データ受信手段と、
上記受信された試験データと、上記記憶されている試験データと、に基づいて、上記受信側端末装置が上記送信側端末装置から受信した試験データが表す音声及び／又は映像の品質を推定する品質推定手段と、
を備える。
【００４８】
この場合、上記サーバ装置は、
上記送信側端末装置及び上記受信側端末装置のそれぞれとの間の通信帯域を、予め設定された上限帯域以下に制御する通信帯域制限手段を備えることが好適である。
【００４９】
この場合、上記サーバ装置は、
当該サーバ装置との間で通信セッションが確立されている、上記送信側端末装置及び上記受信側端末装置の数である接続数を、予め設定された上限数以下に制御する接続数制限手段を備えることが好適である。
【００５０】
この場合、上記サーバ装置は、
所定の実行指示の送信先となる送信側端末装置を特定するための送信側端末装置特定情報と、当該実行指示を送信する順序を表す順序情報と、を対応付けたシナリオ情報を記憶するシナリオ情報記憶手段と、
上記記憶されているシナリオ情報に含まれる順序情報が表す順序に従って、当該シナリオ情報に含まれる送信側端末装置特定情報により特定される送信側端末装置へ、上記実行指示を送信する実行指示送信手段と、
を備えることが好適である。
【００５１】
また、本発明の他の形態であるプログラムは、
送信側端末装置、及び、受信側端末装置と通信回線を介して接続されたサーバ装置に、
当該サーバ装置が備える記憶装置に記憶されているデータであって音声及び／又は映像を表すデータである試験データを上記送信側端末装置へ送信する試験前データ送信手段と、
上記受信側端末装置により送信された試験データを受信する試験後データ受信手段と、
上記受信された試験データと、上記記憶装置に記憶されている試験データと、に基づいて、上記受信側端末装置が上記送信側端末装置から受信した試験データが表す音声及び／又は映像の品質を推定する品質推定手段と、
を実現させるためのプログラムである。
【００５２】
この場合、上記プログラムは、
上記サーバ装置に、更に、
上記送信側端末装置及び上記受信側端末装置のそれぞれとの間の通信帯域を、予め設定された上限帯域以下に制御する通信帯域制限手段を実現させるためのプログラムであることが好適である。
【００５３】
この場合、上記プログラムは、
上記サーバ装置に、更に、
当該サーバ装置との間で通信セッションが確立されている、上記送信側端末装置及び上記受信側端末装置の数である接続数を、予め設定された上限数以下に制御する接続数制限手段を実現させるためのプログラムであることが好適である。
【００５４】
この場合、上記プログラムは、
上記サーバ装置に、更に、
所定の実行指示の送信先となる送信側端末装置を特定するための送信側端末装置特定情報と、当該実行指示を送信する順序を表す順序情報と、を対応付けた情報であって、上記記憶装置に記憶されている情報であるシナリオ情報に含まれる順序情報が表す順序に従って、当該シナリオ情報に含まれる送信側端末装置特定情報により特定される送信側端末装置へ、当該実行指示を送信する実行指示送信手段を実現させるためのプログラムであることが好適である。
【００５５】
また、本発明の他の形態である送信側端末装置は、サーバ装置、及び、受信側端末装置と通信回線を介して接続された装置である。
更に、この送信側端末装置は、
上記サーバ装置から、音声及び／又は映像を表す試験データを受信する試験前データ受信手段と、
上記受信された試験データを、上記受信側端末装置へ送信する試験用データ送信手段と、
を備える。
【００５６】
この場合、上記試験用データ送信手段は、上記サーバ装置から所定の実行指示を受信した時、上記試験データを上記受信側端末装置へ送信するように構成されることが好適である。
【００５７】
また、本発明の他の形態であるプログラムは、
サーバ装置、及び、受信側端末装置と通信回線を介して接続された送信側端末装置に、
上記サーバ装置から、音声及び／又は映像を表す試験データを受信する試験前データ受信手段と、
上記受信された試験データを、上記受信側端末装置へ送信する試験用データ送信手段と、
を実現させるためのプログラムである。
【００５８】
この場合、上記試験用データ送信手段は、上記サーバ装置から所定の実行指示を受信した時、上記試験データを上記受信側端末装置へ送信するように構成されることが好適である。
【００５９】
また、本発明の他の形態である受信側端末装置は、サーバ装置、及び、送信側端末装置と通信回線を介して接続された装置である。
更に、この受信側端末装置は、
上記送信側端末装置から、音声及び／又は映像を表す試験データを受信する試験用データ受信手段と、
上記受信された試験データを上記サーバ装置へ送信する試験後データ送信手段と、
を備える。
【００６０】
また、本発明の他の形態であるプログラムは、
サーバ装置、及び、送信側端末装置と通信回線を介して接続された受信側端末装置に、
上記送信側端末装置から、音声及び／又は映像を表す試験データを受信する試験用データ受信手段と、
上記受信された試験データを上記サーバ装置へ送信する試験後データ送信手段と、
を実現させるためのプログラムである。
【００６１】
上述した構成を有する、試験方法、サーバ装置、プログラム、送信側端末装置、又は、受信側端末装置、の発明であっても、上記試験システムと同様の作用を有するために、上述した本発明の目的を達成することができる。
【００６２】
以下、本発明に係る、試験システム、試験方法、サーバ装置、プログラム、送信側端末装置、及び、受信側端末装置、の実施形態について図１〜図５を参照しながら説明する。
【００６３】
＜実施形態＞
図１に示したように、実施形態に係る試験システム１は、サーバ装置１１と、複数の端末装置２１，２２，２３，２４，２５，…と、を含む。サーバ装置１１、及び、端末装置２１，２２，２３，２４，２５，…は、通信回線（本例では、ＩＰ（Ｉｎｔｅｒｎｅｔ  Ｐｒｏｔｏｃｏｌ）網）ＮＷを介して、互いに通信可能に接続されている。
【００６４】
サーバ装置１１は、図示しない中央処理装置（ＣＰＵ；Ｃｅｎｔｒａｌ  Ｐｒｏｃｅｓｓｉｎｇ  Ｕｎｉｔ）、記憶装置（メモリ及びハードディスク駆動装置（ＨＤＤ；Ｈａｒｄ  Ｄｉｓｋ  Ｄｒｉｖｅ））、入力装置及び出力装置を備える。
【００６５】
出力装置は、ディスプレイを有する。出力装置は、ＣＰＵから出力された画像情報に基づいて、文字及び図形等からなる画像をディスプレイに表示させる。入力装置は、キーボード及びマウスを有する。サーバ装置１１は、キーボード及びマウスを介して、ユーザの操作に基づく情報が入力されるように構成されている。
【００６６】
サーバ装置１１は、記憶装置に記憶されているプログラムをＣＰＵが実行することにより、後述する機能を実現するように構成されている。
【００６７】
各端末装置２１，２２，２３，２４，２５，…は、他の端末装置との間で試験データを送受信することにより、ＰＥＳＱ（Ｐｅｒｃｅｐｔｕａｌ  Ｅｖａｌｕａｔｉｏｎ  ｏｆ  Ｓｐｅｅｃｈ  Ｑｕａｌｉｔｙ）に基づく試験を行うように構成されている。
【００６８】
各端末装置２１，２２，２３，２４，２５，…は、図示しないＣＰＵ、及び、記憶装置（メモリ）を備える。各端末装置２１，２２，２３，２４，２５，…は、記憶装置に記憶されているプログラムをＣＰＵが実行することにより、後述する機能を実現するように構成されている。
【００６９】
図２は、上記のように構成された試験システム１の機能を表すブロック図である。この機能は、サーバ装置１１、及び、端末装置２１のそれぞれのＣＰＵが図示しないプログラムを実行することにより、実現される。なお、各端末装置２２，２３，２４，２５，…も、端末装置２１と同様の機能を有する。
【００７０】
このサーバ装置１１の機能は、試験データ記憶部（試験データ記憶手段）３１と、試験前データ送信部（試験前データ送信手段）３２と、シナリオ情報記憶部（シナリオ情報記憶手段）３３と、実行指示送信部（実行指示送信手段）３４と、試験後データ受信部（試験後データ受信手段）３５と、品質推定部（品質推定手段）３６と、通信制御部（通信帯域制限手段及び接続数制限手段）３７と、を含む。
【００７１】
端末装置２１の機能は、試験前データ受信部（試験前データ受信手段）４１と、試験用データ送信部（試験用データ送信手段）４２と、試験用データ受信部（試験用データ受信手段）４３と、試験後データ送信部（試験後データ送信手段）４４と、を含む。
【００７２】
サーバ装置１１の試験データ記憶部３１は、音声を表す音声データを試験データとして予め記憶している。
サーバ装置１１の試験前データ送信部３２は、試験データ記憶部３１に記憶されている試験データを、各端末装置２１，２２，２３，２４，２５，…へ送信する。
【００７３】
端末装置２１の試験前データ受信部４１は、サーバ装置１１から試験データを受信する。試験前データ受信部４１は、受信した試験データを記憶装置に記憶させる。
【００７４】
サーバ装置１１のシナリオ情報記憶部３３は、図３に示したように、送信側端末装置特定情報と、受信側端末装置特定情報と、順序情報としての日時情報と、を対応付けたシナリオ情報を記憶する。本例では、シナリオ情報は、サーバ装置１１のユーザが入力装置を介して入力した情報である。
【００７５】
ここで、送信側端末装置特定情報は、試験データを送信する端末装置である送信側端末装置を特定するための情報である。後述するように、送信側端末装置は、実行指示の送信先となる端末装置である。また、受信側端末装置特定情報は、試験データを受信する端末装置である受信側端末装置を特定するための情報である。本例では、順序情報は、試験データを送信する日時を表す日時情報である。即ち、順序情報は、後述するように、実行指示を送信する順序を表す情報である、と言うことができる。
【００７６】
サーバ装置１１の実行指示送信部３４は、シナリオ情報記憶部３３に記憶されているシナリオ情報に含まれる日時情報が表す日時となった時、そのシナリオ情報に含まれる送信側端末装置特定情報により特定される端末装置へ、そのシナリオ情報に含まれる受信側端末装置特定情報を含む実行指示を送信する。実行指示は、その実行指示に含まれる受信側端末装置特定情報により特定される受信側端末装置へ試験データを送信する旨を指示する情報である。
【００７７】
即ち、実行指示送信部３４は、シナリオ情報記憶部３３に記憶されているシナリオ情報に含まれる順序情報が表す順序に従って、そのシナリオ情報に含まれる送信側端末装置特定情報により特定される送信側端末装置へ、実行指示を送信している、と言うことができる。
【００７８】
端末装置２１の試験用データ送信部４２は、サーバ装置１１から実行指示を受信する。試験用データ送信部４２は、実行指示を受信した時、試験前データ受信部４１によって記憶装置に記憶させられている試験データを符号化する。そして、試験用データ送信部４２は、符号化された試験データを、上記受信した実行指示に含まれる受信側端末装置特定情報により特定される受信側端末装置へ送信する。
【００７９】
このとき、試験用データ送信部４２は、ＳＩＰ（Ｓｅｓｓｉｏｎ  Ｉｎｉｔｉａｔｉｏｎ  Ｐｒｏｔｏｃｏｌ）に従って、送信側端末装置（即ち、自装置）と受信側端末装置との間に通信セッションを確立する。そして、試験用データ送信部４２は、確立された通信セッションを介して受信側端末装置へ上記試験データを送信する。本例では、試験用データ送信部４２は、ＲＴＰ（Ｒｅａｌ−ｔｉｍｅ  Ｔｒａｎｓｐｏｒｔ  Ｐｒｏｔｏｃｏｌ）に従って上記試験データを受信側端末装置へ送信する。
【００８０】
また、端末装置２１の試験用データ受信部４３は、他の端末装置２２，２３，２４，２５，…から試験データを受信する。試験用データ受信部４３は、受信した試験データを復号化する。
【００８１】
端末装置２１の試験後データ送信部４４は、試験用データ受信部４３により復号化された試験データをサーバ装置１１へ送信する。
【００８２】
サーバ装置１１の試験後データ受信部３５は、各端末装置（受信側端末装置）２１，２２，２３，２４，２５，…により送信された試験データを受信する。
【００８３】
サーバ装置１１の品質推定部３６は、試験後データ受信部３５により受信された試験データと、試験データ記憶部３１に記憶されている試験データと、に基づいて、上記受信側端末装置が上記送信側端末装置から受信した試験データが表す音声の品質を推定する。
【００８４】
具体的には、品質推定部３６は、試験後データ受信部３５により受信された試験データと、試験データ記憶部３１に記憶されている試験データと、が一致している程度を表すパラメータを算出する。そして、品質推定部３６は、算出したパラメータを、上記品質を表す品質情報として出力装置を介して出力する（本例では、ディスプレイに表示させる）。
【００８５】
また、サーバ装置１１の通信制御部３７は、サーバ装置１１と各端末装置２１，２２，２３，２４，２５，…との間の通信帯域を、予め設定された上限帯域以下に制御する。更に、通信制御部３７は、サーバ装置１１との間で通信セッションが確立されている端末装置２１，２２，２３，２４，２５，…の数である接続数を、予め設定された上限数以下に制御する。
【００８６】
次に、上述した試験システム１の作動について、シーケンス図である図４を参照しながら説明する。
【００８７】
いま、端末装置２１を特定するための送信側端末装置特定情報（本例では、「ＩＤ１」）と、端末装置２２を特定するための受信側端末装置特定情報（本例では、「ＩＤ２」）と、日時を表す日時情報（本例では、「２００９−０５−１９  １０：２０：３０」）と、を対応付けた情報が、シナリオ情報として、サーバ装置１１の記憶装置に記憶されている場合を想定して説明する。
【００８８】
先ず、サーバ装置１１は、記憶装置に予め記憶されている試験データを端末装置２１へ送信する（ステップＡ１、試験前データ送信工程）。これにより、端末装置２１は、サーバ装置１１から試験データを受信し（試験前データ受信工程）、受信した試験データを記憶装置に記憶させる。
【００８９】
このとき、サーバ装置１１は、端末装置２１との間の通信帯域を、上記上限帯域以下に制御する（通信帯域制限工程）。更に、サーバ装置１１は、サーバ装置１１との間で通信セッションが確立されている端末装置２１，２２，２３，２４，２５，…の数である接続数を、上記上限数以下に制御する（接続数制限工程）。これによれば、他の通信にて使用可能な通信帯域が過少となることを防止することができる。
【００９０】
その後、上記シナリオ情報に含まれる日時情報が表す日時になった時、サーバ装置１１は、端末装置２２を特定するための受信側端末装置特定情報を含む実行指示を端末装置２１へ送信する（ステップＡ２、実行指示送信工程）。
【００９１】
これにより、端末装置２１は、端末装置２２との間で、ＳＩＰに従ったメッセージを送受信することにより、通信セッションを確立する（ステップＢ１）。また、端末装置２１は、記憶装置に記憶されている試験データを符号化する。その後、端末装置２１は、ＲＴＰに従って、符号化された試験データを、確立された通信セッションを介して端末装置２２へ送信する（ステップＢ２、試験用データ送信工程）。
【００９２】
これにより、端末装置２２は、端末装置２１から、符号化された試験データを受信する（試験用データ受信工程）。そして、端末装置２２は、試験データの受信が完了すると、受信した試験データを復号化する。そして、端末装置２２は、復号化された試験データをサーバ装置１１へ送信する（ステップＣ１、試験後データ送信工程）。
【００９３】
これにより、サーバ装置１１は、端末装置２２から試験データを受信する（試験後データ受信工程）。このとき、サーバ装置１１は、端末装置２２との間の通信帯域を、上記上限帯域以下に制御する（通信帯域制限工程）。更に、サーバ装置１１は、サーバ装置１１との間で通信セッションが確立されている端末装置２１，２２，２３，２４，２５，…の数である接続数を、上記上限数以下に制御する（接続数制限工程）。これによれば、他の通信にて使用可能な通信帯域が過少となることを防止することができる。
【００９４】
そして、サーバ装置１１は、受信された試験データと、記憶装置に記憶されている試験データと、が一致している程度を表すパラメータを算出することにより、端末装置２２が端末装置２１から受信した試験データが表す音声の品質を推定する（ステップＡ３、品質推定工程）。そして、サーバ装置１１は、算出したパラメータを品質情報としてディスプレイに表示させる（ステップＡ４）。
なお、試験システム１は、他のシナリオ情報に対しても同様に作動する。
【００９５】
以上、説明したように、本発明による試験システムの実施形態によれば、サーバ装置１１は、送信側端末装置としての端末装置２１が実際に送信した試験データと、受信側端末装置としての端末装置２２が実際に受信した試験データと、に基づいて、受信側端末装置２２が、送信側端末装置２１から受信した試験データが表す音声の品質を推定する。この結果、サーバ装置１１は、端末装置が他の端末装置から受信した試験データが表す音声の品質を高い精度にて推定することができる。
【００９６】
更に、上記試験システム１において、サーバ装置１１は、送信側端末装置及び受信側端末装置の組のそれぞれに対して、受信側端末装置が送信側端末装置から受信した試験データを受信することができる。この結果、サーバ装置１１は、各組に対して推定された音声の品質に基づいた情報（例えば、各組に対する品質を統計した情報、及び、ある組に対する品質と他の組に対する品質又は各組に対する品質を統計した情報とを比較した情報等）を出力することもできる。また、上記試験システム１によれば、同一の試験データを、複数の送信側端末装置に送信させることもできる。
【００９７】
加えて、上記試験システム１は、シナリオ情報に基づいて、送信側端末装置から受信側端末装置へ試験データを送信する処理（試験）を自動的に実行することができる。この結果、試験システム１を使用するユーザ（オペレータ）の手間を軽減することができる。また、例えば、送信側端末装置と受信側端末装置とを接続する通信回線ＮＷの通信量が相対的に少ない期間（例えば、通信回線ＮＷを用いるサービスの提供が停止する期間）にて、試験を実行することにより、通信負荷の最大値を減少させることもできる。
【００９８】
また、上記試験システム１によれば、複数の、送信側端末装置及び受信側端末装置の組のそれぞれに対する試験を同時に実行することもできる。従って、複数の試験を早期に完了することができる。また、上記試験システム１によれば、比較的長い距離だけ離間して配置された送信側端末装置及び受信側端末装置に対する試験も容易に実行することができる。
【００９９】
更に、上記試験システム１によれば、予め設定された試験周期が経過する毎に、試験を行うことができる。従って、上記通信回線ＮＷにて異常が発生した場合であっても、早期に異常が発生したことを検出することができる。
【０１００】
なお、本発明は上記実施形態に限定されることはなく、本発明の範囲内において種々の変形例を採用することができる。例えば、上記実施形態においては、送信側端末装置は、１つの実行指示を受信することにより、１つの受信側端末装置へ試験データを送信するように構成されていたが、複数の受信側端末装置のそれぞれへ試験データを送信するように構成されていてもよい。
【０１０１】
また、上記実施形態の変形例において、受信側端末装置は、送信側端末装置により送信されたパケットの一部が受信されなかった（消失した）こと（パケットロスの発生）、及び、連続する２つのパケットが受信された間隔が所定の閾値よりも長いこと（パケット遅延の発生）等を検出するように構成されていてもよい。この場合、受信側端末装置は、パケットロスの発生及びパケット遅延の発生を検出したとき、その旨を表す情報をサーバ装置１１へ送信するように構成される。
【０１０２】
また、上記実施形態において、試験システム１は、試験データとして音声を表す音声データを用いていたが、映像を表す映像データを試験データとして用いるように構成されていてもよい。また、試験システム１は、映像を表す映像データ及び音声を表す音声データの両方を試験データとして用いるように構成されていてもよい。
【０１０３】
また、上記実施形態の変形例において、サーバ装置１１は、品質情報として算出されたパラメータが、予め設定された閾値よりも小さい場合に、その旨を表す情報を出力するように構成されていてもよい。
【０１０４】
更に、上記実施形態の変形例において、サーバ装置１１は、送信側端末装置及び受信側端末装置の組のそれぞれに対して推定された音声の品質に基づいた出力情報を出力するように構成されることが好適である。ここで、出力情報は、統計情報、及び／又は、比較情報である。統計情報は、各組に対する品質を統計した（例えば、パラメータを平均した値）情報である。また、比較情報は、ある組に対する品質と、他の組に対する品質又は各組に対する品質を統計した情報と、を比較した情報である。
【０１０５】
また、図５に示したように、上記実施形態の変形例に係る試験システム１００は、通信回線を介して接続された、サーバ装置１１０、送信側端末装置１２０、及び、受信側端末装置１３０を含む。
【０１０６】
サーバ装置１１０の機能は、試験データ記憶部（試験データ記憶手段）１１１と、試験前データ送信部（試験前データ送信手段）１１２と、試験後データ受信部（試験後データ受信手段）１１３と、品質推定部（品質推定手段）１１４と、を含む。
【０１０７】
送信側端末装置１２０の機能は、試験前データ受信部（試験前データ受信手段）１２１と、試験用データ送信部（試験用データ送信手段）１２２と、を含む。
受信側端末装置１３０の機能は、試験用データ受信部（試験用データ受信手段）１３１と、試験後データ送信部（試験後データ送信手段）１３２と、を含む。
【０１０８】
試験データ記憶部１１１は、音声及び／又は映像を表す試験データを記憶する。
試験前データ送信部１１２は、試験データ記憶部１１１に記憶されている試験データを送信側端末装置１２０へ送信する。
【０１０９】
試験前データ受信部１２１は、サーバ装置１１０から試験データを受信する。
試験用データ送信部１２２は、試験前データ受信部１２１により受信された試験データを、受信側端末装置１３０へ送信する。
【０１１０】
試験用データ受信部１３１は、送信側端末装置１２０から試験データを受信する。
試験後データ送信部１３２は、試験用データ受信部１３１により受信された試験データをサーバ装置１１０へ送信する。
【０１１１】
試験後データ受信部１１３は、受信側端末装置１３０により送信された試験データを受信する。
品質推定部１１４は、試験後データ受信部１１３により受信された試験データと、試験データ記憶部１１１に記憶されている試験データと、に基づいて、受信側端末装置１３０が送信側端末装置１２０から受信した試験データが表す音声及び／又は映像の品質を推定する。
この変形例によっても、上記実施形態と同様の作用及び効果を奏することができる。
【０１１２】
また、上記実施形態において、サーバ装置１１は、１つの情報処理装置であったが、通信可能に構成された複数の情報処理装置により構成されていてもよい。
【０１１３】
なお、上記実施形態において試験システム１の各機能は、ＣＰＵがプログラム（ソフトウェア）を実行することにより実現されていたが、回路等のハードウェアにより実現されていてもよい。
【０１１４】
また、上記実施形態の他の変形例として、上述した実施形態及び変形例の任意の組み合わせが採用されてもよい。
【産業上の利用可能性】
【０１１５】
本発明は、ＩＰ網を介して接続された複数の電話機を含む通信システムにて通信される音声データが表す音声の品質を試験するための試験システム等に適用可能である。
【符号の説明】
【０１１６】
１      試験システム
１１    サーバ装置
２１，２２，２３，２４，２５，…  端末装置
３１    試験データ記憶部
３２    試験前データ送信部
３３    シナリオ情報記憶部
３４    実行指示送信部
３５    試験後データ受信部
３６    品質推定部
３７    通信制御部
４１    試験前データ受信部
４２    試験用データ送信部
４３    試験用データ受信部
４４    試験後データ送信部
１００  試験システム
１１０  サーバ装置
１１１  試験データ記憶部
１１２  試験前データ送信部
１１３  試験後データ受信部
１１４  品質推定部
１２０  送信側端末装置
１２１  試験前データ受信部
１２２  試験用データ送信部
１３０  受信側端末装置
１３１  試験用データ受信部
１３２  試験後データ送信部
ＮＷ    通信回線
【図１】
2010278496.tif 000003
【図２】
2010278496.tif 000004
【図３】
2010278496.tif 000005
【図４】
2010278496.tif 000006
【図５】
2010278496.tif 000007